(57)【要約】      （修正有）【課題】フック上部に保持具を付け、保持具に保持手段を通して、フック下部でロック手段または、緊結部で止めることにより、地震などによってフック下部から引掛け物が外に飛び出すことを押え、盗難防止になることを特徴とするフックを提供する。【解決手段】フック上部Ｊと連結部Ｅとフック後部Ｐとフック下部Ｋとフック前部Ｌとフック上部Ｊの所定の位置に設けられた保持具Ｚとを備えたフックＡであって、フック下部Ｋとフック上部Ｊの相対距離が広がるのを規制することによってフック上部Ｊの先端部Ｊ１とフック前部Ｌの先端部Ｌ１の当接部を当接状態で固定するフックＡによって構成される。【選択図】図１
0003182907.tif 000002
【実用新案登録請求の範囲】
【請求項１】
引掛け物を引掛けるためのフックであって、該フックは、フック上部と連結部とフック後部とフック下部とフック前部と前記フック上部の所定の位置に設けられた保持具とを備えたフックであって、前記フック上部とフック後部とが前記連結部を介して連結されており、前記フック後部とフック下部とフック前部とは連続して構成されており、前記連結部が有する弾性部材の弾性力によってフック上部の先端部はフック前部の先端部と当接し、フックの開時にフック上部の先端部がフック前部の先端部と離間し、フックの閉時にはフック上部の先端部がフック前部の先端部に当接し、前記フック上部の所定の位置に設けられている保持具に対してフック下部側から保持手段を貫通させてフック下部側に折り返し、保持手段の両下端はロック手段によってフック下部の下側でロックされており、ロック手段と保持手段によって、前記フック下部とフック上部の相対距離が広がるのを規制することによってフック上部の先端部とフック前部の先端部の当接部を当接状態で固定することを特徴とするフック。
【請求項２】
前記保持具が円形リング状又は角形状とすることを特徴とする請求項１に記載のフック。
【請求項３】
前記ロック手段が南京錠本体であり、前記保持手段が、南京錠アーム部であることを特徴とする請求項１又は請求項２に記載のフック。
【請求項４】
前記ロック手段が緊結部であり、前記保持手段が、線状体であることを特徴とする請求項１又は請求項２に記載のフック。
【考案の詳細な説明】
【技術分野】
【０００１】
本考案は、フックの上の部分に保持具を付けて、ロック手段や線状体といったもので、口の部分を空かないようにし、途中に付けることによって、それより奥にある物が前に出てこられず、盗難やどんなに激しい揺れでも出ることはない。
色々な物に保持具を付けることによって、他の場所と商品をワイヤーで繋いだりしておけばその範囲以外に行くことは無いため無くなったり盗難に会うことを少なくすることができる。
【背景技術】
【０００２】
フックは軽いものなら大丈夫だが、重くなってしまうと、地震の揺れで外れてしまう可能性があると思われる。
その為、ロック手段を付けたり、自分以外が使わなければ、線状体を通して縛っておけば落ちる可能性が少なくなる。
【先行技術文献】
【特許文献】
【０００３】
【特許文献１】特開２００１―３３６２９２号公報
【考案の概要】
【考案が解決しようとする課題】
【０００４】
本考案は、解決しようとする問題点は、フックに掛けた引掛け物の盗難防止や落下防止を目的とし、フックの保持具に南京錠アーム部や線状体を通しフック下部の下で錠をロックしたり、線状体を結んだりして、地震などによって、フックからどんなに揺れようと錠のロックを解除したり、線状体の緊結部を解かない限り商品がフックから外れる事がなく、商品の落下防止や盗難防止の抑止力とすることを課題とする。
【０００５】
本考案は、地震などによって、フックからどんな揺れであろうとも、ロック手段や線状体を取らない限り、中の物は取ることはできない。
【課題を解決するための手段】
【０００６】
本考案のフックは、引掛け物を引掛けるためのフックであって、該フックは、フック上部と連結部とフック後部とフック下部とフック前部と前記フック上部の所定の位置に設けられた保持具とを備えたフックであって、前記フック上部とフック後部とが前記連結部を介して連結されており、前記フック後部とフック下部とフック前部とは連続して構成されており、前記連結部が有する弾性部材の弾性力によってフック上部の先端部はフック前部の先端部と当接し、フックの開時にフック上部の先端部がフック前部の先端部と離間し、フックの閉時にはフック上部の先端部がフック前部の先端部に当接し、前記フック上部の所定の位置に設けられている保持具に対してフック下部側から保持手段を貫通させてフック下部側に折り返し、保持手段の両下端はロック手段によってフック下部の下側でロックされており、ロック手段と保持手段によって、前記フック下部とフック上部の相対距離が広がるのを規制することによってフック上部の先端部とフック前部の先端部の当接部を当接状態で固定することを特徴とするフックによって、前記課題を解決したものである。
【０００７】
また本考案の前記保持具が円形リング状又は角形状であることを特徴とするフックによって、前記課題を解決したものである。
【０００８】
また本考案のロック手段が南京錠であり、前記保持手段が、線状体であることを特徴とするフックによって、前記課題を解決したものである。
【０００９】
また本考案の前記保持具が円形リング状であり、前記ロック手段が線状体であり、前記保持手段が、南京錠アーム部であることを特徴とするフックによって、前記課題を解決したものである。
【考案の効果】
【００１０】
本考案は、フック上部に保持具を付け、保持具に保持手段を通して、フック下部でロック手段または、緊結部で止めることにより、地震などによってフック下部から引掛け物が外に飛び出すことを押え、盗難防止になることを特徴とする。
【図面の簡単な説明】
【００１１】
【図１】図１は本考案のフックの第一実施形態の斜視図である。
【図２】図２は本考案のフックの第二実施形態の斜視図である。
【図３】図３は本考案のフックの第三実施形態の斜視図である。
【図４】図４は本考案のフックの第一実施形態の詳細の説明である。
【考案を実施するための形態】
【００１２】
図１は、第一実施形態のフック１１を説明する。
フック上部Ｊに保持具Ｚ（円形リング）を付け、南京錠アーム部Ｑ（保持手段Ｓ）を通し、フック下部Ｋの下に南京錠本体Ｒ（ロック手段Ｎ）を付けフック前部Ｌとフック上部Ｊの開閉口（フック前部の先端部Ｊ１とフック前部の先端部Ｌ１）を押えていることで連結部Eの弾性力も弾性させることを押え相対距離が広がるのを規制した状態のフックＡ。
【００１３】
図２は、第二実施形態のフック２１を説明する。
フック上部Ｊに保持具Ｚ（角型）を付け、南京錠アーム部Ｑ（保持手段Ｓ）を通し、フック下部Ｋの下に南京錠本体Ｒ（ロック手段Ｎ）を付けフック前部Ｌとフック上部Ｊの開閉口（フック前部の先端部Ｊ１とフック前部の先端部Ｌ１）を押えていることで、連結部Eの弾性力も弾性させることを押え相対距離が広がるのを規制した状態のフックＡ。
【００１４】
図３は、第三実施形態のフック３１を説明する。
フック上部Ｌに保持具Ｚ（円形リング）を付け、フック上部Ｊにある保持具Ｚに線状体Ｃ（保持手段Ｓ）を通し、フック下部Ｋを巻込んで、線状体Ｃ（保持手段Ｓ）で縛ってフック下部Ｋを巻き込んだ状態で緊結部Ｄを作り、フック前部Ｌとフック上部Ｊの開閉口（フック前部の先端部Ｊ１とフック前部の先端部Ｌ１）を押えていることで、連結部Eの弾性力も弾性させることを押え相対距離が広がるのを規制した状態のフックＡ。
【００１５】
図４は、第四実施形態のフック４１使用例の説明図である。これに従って使用例を具体的に説明する。
壁面取り付け部材Ｈにフック後部Ｐを取り付け、フック上部Ｊに保持具Ｚ（円形リング状）を付け、保持具Ｚ（円形リング状）を付け、南京錠アーム部Ｑ（保持手段Ｓ）を通し、南京錠本体Ｒ（ロック手段Ｎ）で、フック前部Ｌとフック上部Ｊの開閉口（フック前部の先端部Ｊ１とフック前部の先端部Ｌ１）を押え相対距離が広がるのを規制していることで、連結部Eの弾性力も弾性させることを押え引掛け物Ｇを引掛けた状態のフックＡ。
【００１６】
フック後部Ｐの後ろの取り付け部Ｂは、ネジにするだけでなく、引掛けるタイプ、後ろの部分を大きくして、ネジ穴、又は釘穴を作り、頑丈に付けるタイプ、後ろにナットを付けボルトで固定するタイプ、ボルトを付けナットで付けるタイプ、後ろにボルトを通す部分を作りボルトとナットで付けるタイプ、上下又は左右で挟んで押えるタイプ、溶接など様々なものがある。
【００１７】
固定部の部分は、使う場所によって変わってしまうため、多種多様である。
【００１８】
本品は、連結部Ｅの弾性力以外の力で出入口を押えることによって、中の物が外に、落ないようにすることにある、フック上部Ｊを押えることによって、押えている部分で、中の物が押えられる中に掛けている物が酷い揺れや、大きい地震で、フックＡから落ちない。
【００１９】
フックＡから落なければ、商品に傷がつく、商品を拾い元に戻すという労力が無くなるため、仕事に支障をきたすことを少なくできる。
【００２０】
開口部を上と下から押え、中の物を出ないようにする。
【００２１】
使用方法を簡単に説明する、フックＡの開閉部を開き、物を奥に詰める、開閉部を閉じる、保持具Ｚにロック手段Ｎや線状体Ｃといった様々な物で開かないようにする。
【００２２】
保持具Ｚは、色々な物に付けて置けば、保持具Ｚにロックできる物を付けるだけで、ロックできる。
【００２３】
保持具Ｚはロック手段Ｎの南京錠アーム部Ｑ部分が通る位の、外側と交流を持たない金具を付ける。
【００２４】
保持具Ｚに線状体Ｃを通して、下の部分と一緒に縛れば、線状体Ｃを取らないと、中の物が出ることはない。
【００２５】
保持具Ｚが円形リングであり、ロック手段Ｎが南京錠であり、保持手段Ｓが、南京錠アーム部Ｑで、保持具Ｚに保持手段Ｓの南京錠アーム部Ｑを通し、フック下部Kを挟持させることによってフック上部の先端部Ｊ１とフック前部の先端部Ｌ１の当接部を当接状態で固定し、少し本体が動いてもフック下部Ｋから、引掛け物Ｇが脱落しないようにしておくことを特徴とするフックＡ。
【００２６】
線状体Ｃは、紐やワイヤーやロープや麻やテープなど、保持具Ｚの中に通して、フック下部Ｋの下で緊結部Ｄで押えられる物。
【産業上の利用可能性】
【００２７】
フックに掛けた物が、大きな地震や、酷い揺れによって、落下、破損、紛失を防ぐことにより損失を減らす効果が期待できるので、産業上有用である。
【符号の説明】
【００２８】
１１    第一実施形態のフック
２１    第二実施形態のフック
３１    第三実施形態のフック
４１    第四実施形態のフック
Ａ      フック
Ｂ      取り付け部
Ｃ      線状体
Ｄ      緊結部
Ｅ      連結部
Ｇ      引掛け物
Ｈ      壁面取り付け部材
Ｊ      フック上部
Ｊ１    フック上部の先端部
Ｋ      フック下部
Ｌ      フック前部
Ｌ１    フック前部の先端部
Ｎ      ロック手段
Ｐ      フック後部
Ｑ      南京錠アーム部
Ｒ      南京錠本体
Ｓ      保持手段
Ｗ      壁
Ｚ      保持具
【図１】
0003182907.tif 000003
【図２】
0003182907.tif 000004
【図３】
0003182907.tif 000005
【図４】
0003182907.tif 000006